(57)【要約】【課題】  少なくともクロッチ域の中央部が所要の柔軟性を有し、かつ、クロッチ域の前ウエスト域側が所要の引張強度を有するパンツ型の着用物品の提供。【解決手段】  前後ウエスト域１１，１２と、クロッチ域１３のうちの少なくとも前ウエスト域１１側の部分とがベースシート２５と前ウエストシート２６とを積層してなる複層域４３、クロッチ域１３の中央部１３Ｃがベースシート２５のみからなる単層域４３である。複層域４４は、境界４０と、前ウエスト域１１の内端縁１１ｄと、吸液構造体１５とシャーシ１４とを接合する接合域６０と、クロッチ域１３の凹曲状の前記側縁１９ｃとによって囲まれた隅部７３を有し、複層域４４と単層域４３との境界４０が接合域６０を横断する。【選択図】図１
2014050413.tif 000002
【特許請求の範囲】
【請求項１】
縦方向及びそれに直交する横方向を有し、肌対向面及び非肌対向面と、前ウエスト域と、後ウエスト域と、前記前後ウエスト域間に位置する、凹曲状の両側縁を有するクロッチ域と、前記前後ウエスト域と前記クロッチ域とを画定するシャーシと、前記シャーシの肌対向面に固定され、少なくとも前記クロッチ域において前記縦方向へ延びる吸液構造体とを含むパンツ型の着用物品において、
前記シャーシは、前記前後ウエスト域と前記クロッチ域とを画定するベースシートと、前記ベースシートとともに、前記前後ウエスト域を形成する、互いに前記縦方向において離間する前後ウエストシートとを含み、
前記前後ウエスト域と、前記クロッチ域のうちの少なくとも前記前ウエスト域側の部分とが前記ベースシートと前記前ウエストシートとを積層してなる複層域、前記クロッチ域の中央部が前記ベースシートのみからなる単層域であって、
前記複層域と前記単層域との境界が前記横方向に延びており、
前記複層域は、前記境界と、前記前ウエスト域の内端縁と、前記吸液構造体と前記シャーシとを接合する接合域と、前記クロッチ域の凹曲状の前記側縁とによって囲まれた隅部を有し、前記境界が前記接合域を横断することを特徴とする前記着用物品。
【請求項２】
前記接合域は、少なくとも前記クロッチ域において前記縦方向に延びる中央接合部と、前記クロッチ域の前記前ウエスト域側において前記中央接合部の前記横方向の外側に位置し、前記縦方向に延びる一対の第１サイド接合部とを有する請求項１に記載の着用物品。
【請求項３】
前記接合域は、少なくとも前記クロッチ域において縦方向に延びる中央接合部と、前記クロッチ域の前記後ウエスト域側において前記中央接合部の前記横方向の外側に位置し、前記縦方向に延びる一対の第２サイド接合部とを有し、前記クロッチ域の前記後ウエスト域側の部分が前記複層域であって、前記横方向に延びる、前記複層域と前記単層域との境界が前記接合域を横断する請求項１又は２に記載の着用物品。
【請求項４】
前記隅部の前記縦方向における寸法は、約３０ｍｍ以上である請求項１〜３のいずれかに記載の着用物品。
【請求項５】
前記接合域は、前記中央接合部と前記第１及び第２サイド接合部とを有する中間接合域と、前記中間接合域と前記縦方向において離間し、前記前後ウエスト域のそれぞれに位置する前後端接合域とを有する請求項３又は４に記載の着用物品。
【請求項６】
前記クロッチ域の前記後ウエスト域側に位置する複層域には、複数条のレッグ弾性体が配設されており、前記レッグ弾性体は、前記横方向に延び、前記吸液構造体と交差する直状部と、前記直状部の前記横方向の両側に位置して前記クロッチ域の両側縁に沿って湾曲状に延びる曲状部とを有し、前記直状部の伸長倍率が前記曲状部のそれよりも低くなっている請求項３〜５のいずれかに記載の着用物品。
【請求項７】
前記前後ウエスト域のうちの少なくとも前記前ウエスト域には、前記横方向に延び、かつ、前記縦方向において互いに所与寸法離間する複数条のウエスト弾性体が配設されており、前記ウエスト弾性体のうちの最内端に位置する弾性体から前記境界までの前記縦方向における離間寸法が前記ウエスト弾性体どうしの離間寸法よりも大きい請求項１〜６のいずれかに記載の着用物品。
【請求項８】
前記ベースシート及び前後ウエストシートのうちの少なくとも一方が、繊維不織布から形成されており、前記繊維不織布の構成繊維が前記縦方向に配向する請求項１〜７のいずれかに記載の着用物品。
【発明の詳細な説明】
【技術分野】
【０００１】
本発明は、使い捨てのパンツ型おむつ、失禁用おむつカバー等のパンツ型の着用物品に関する。
【背景技術】
【０００２】
従来、パンツ型の着用物品のベース形態を形成するシャーシと、シャーシの内面に位置する吸液構造体とを備える着用物品は公知である。例えば、特許文献１に開示の着用物品は、横長矩形状の前ウエストパネルと、後ウエスト域及びクロッチ域の一部を形成する略台形状の後ウエストパネルとを有するシャーシと、シャーシの内面に位置する吸液構造体とを備える。かかる着用物品において、前後ウエストパネルには横方向に延びる複数条のウエスト弾性体が配設され、後ウエストパネルのクロッチ域の一部を画定する延出部には、複数条のレッグ弾性体が配設されている。
【先行技術文献】
【特許文献】
【０００３】
【特許文献１】特開２００５−２７８３９号公報
【発明の概要】
【発明が解決しようとする課題】
【０００４】
特許文献１に開示の着用物品は、前ウエストパネルと後ウエストパネルとの間に位置するクロッチ域の中央部において、シャーシを構成するシート部材が存在せず、吸液構造体のみが位置しているので、該部位にシャーシを形成する複数のシート部材が存在する場合に比して柔軟性に優れている。したがって、該部位が着用者の大腿部間に挟まれて折り曲げられてもごわついて着用感を損ねるおそれはない。また、クロッチ域の中央部にシャーシを形成するシート部材を配置しないことによって、製造コストを抑えることができる。
【０００５】
しかし、着用物品の着用時において、着用者の曲状の大腿部に対して直状に延びる吸液構造体の側縁近傍が当接することによって、着用者又は着用補助者の補助によりレッグ開口に脚を挿入しながら又は挿入後に、前後ウエスト域の両側部を着用者又は着用補助者が掴んで引っ張り上げるときに、クロッチ域の前ウエスト域側に位置する吸液構造体の一部が大腿部の内側に引っ掛かって、レッグ開口縁部が上下方向に引っ張られた状態になることがある。かかる場合において、レッグ開口縁部に生じる引張応力は、レッグ開口縁部のうちで大きく形状の変化する部位、すなわち、横方向に直状に延びる前ウエストパネルの下端縁と縦方向に直状に延びる吸液構造体の両側縁との交差する部位に集中し、該交差部位から着用物品の一部が破断するおそれがある。また、かかる着用物品のように、前後ウエスト域とクロッチ域とが別体のシート部材で形成されている場合には、ウエスト域及び／又はクロッチ域が引っ張られたときに、シート部材どうしの接合部において分離するおそれがある。
【０００６】
かかる事態を避けるために、クロッチ域を含め、着用物品の全体を複数層のシート部材で形成してシャーシのシート強度を全体的に高くすることも考えられるが、その場合には、クロッチ域の中央部の柔軟性が損なわれ、また、使用するシート部材の量が増えることによって、製造コストが上がる。
【０００７】
本発明の目的は、従来の使い捨て着用物品の改良であって、少なくともクロッチ域の中央部が所要の柔軟性を有し、かつ、クロッチ域の前ウエスト域側が所要の引張強度を有する使い捨て着用物品の提供にある。
【課題を解決するための手段】
【０００８】
本発明は、縦方向及びそれに直交する横方向を有し、肌対向面及び非肌対向面と、前ウエスト域と、後ウエスト域と、前記前後ウエスト域間に位置する、凹曲状の両側縁を有するクロッチ域と、前記前後ウエスト域と前記クロッチ域とを画定するシャーシと、前記シャーシの肌対向面に固定され、少なくとも前記クロッチ域において前記縦方向へ延びる吸液構造体とを含むパンツ型の着用物品に関する。
【０００９】
本発明に係る着用物品は、前記シャーシは、前記前後ウエスト域と前記クロッチ域とを画定するベースシートと、前記ベースシートとともに、前記前後ウエスト域を形成する、互いに前記縦方向において離間する前後ウエストシートとを含み、前記前後ウエスト域と、前記クロッチ域のうちの少なくとも前記前ウエスト域側の部分とが前記ベースシートと前記前ウエストシートとを積層してなる複層域、前記クロッチ域の中央部が前記ベースシートのみからなる単層域であって、
前記複層域と前記単層域との境界が前記横方向に延びており、前記複層域は、前記境界と、前記前ウエスト域の内端縁と、前記吸液構造体と前記シャーシとを接合する接合域と、前記クロッチ域の凹曲状の前記側縁とによって囲まれた隅部を有し、前記境界が前記接合域を横断することを特徴とする。
【発明の効果】
【００１０】
本発明に係るパンツ型の着用物品は、シャーシを構成するベースシートが前後ウエスト域とクロッチ域との全体に延びていることから、前後ウエスト域とクロッチ域とが別体のシート部材から形成されている場合と異なり、着用時に前後ウエスト域及びクロッチ域が上下に引っ張られても、前後ウエスト域とクロッチ域とが容易に分離するおそれはない。また、シャーシは、クロッチ域の前ウエスト域側において、吸液構造体とシャーシとを接合する接合域とクロッチ域の凹曲状の側縁との間に位置する複層域からなる隅部を有し、着用時において、レッグ開口縁部に対し、上下方向に引っ張り上げようとする力が作用しても、隅部が所要の引張強度を有し、かつ、引張応力が局所的に集中することなく隅部において分散されることから、その一部が破断するおそれはない。さらに、クロッチ域の中央部はベースシートのみで形成されているので、所要の柔軟性を有し、着用者の肌を刺激せず、大腿部に挟まれてもごわつくことはなく、着用感が良好である。
【図面の簡単な説明】
【００１１】
【図１】本発明に係るパンツ型の着用物品の一例としての使い捨てのパンツ型おむつの斜視図。
【図２】おむつの一部破断展開平面図。
【図３】おむつの分解斜視図。
【図４】シャーシの平面図。
【図５】図２のＶ−Ｖ線に沿う模式的断面図。
【図６】おむつの外形と接合域のみを実線で表し、接合域の接合パターンを示すおむつの展開平面図。
【図７】正面側から見た、おむつの着用時の状態を示す図。
【図８】引張強度の試験に使用した、おむつの前ウエスト域側を含む部分の平面図。
【図９】引張強度の試験の様子を示す図。
【発明を実施するための形態】
【００１２】
図１〜３を参照すると、本発明に係るパンツ型の着用物品の一例である使い捨てのパンツ型おむつ１０は、横方向Ｘ及び縦方向Ｙを有し、肌対向面及びその反対側の非肌対向面と、前ウエスト域１１と、後ウエスト域１２と、前ウエスト域１１および後ウエスと域１２の間に位置するクロッチ域１３と、おむつ１０のベース形態を形成するシャーシ１４と、シャーシ１４の肌対向面に位置し、クロッチ域１３を中心として縦方向Ｙへ延びる吸液構造体１５とを含む。おむつ１０は、仮想縦中心線Ｐ−Ｐ（以下、縦軸Ｐともいう）と、仮想横中心線Ｑ−Ｑとをさらに有し、仮想縦中心線Ｐ−Ｐに関してほぼ対称である。図２において、後述する各弾性体は、その収縮力に抗して伸長された状態にある。
【００１３】
おむつ１０は、また、横方向Ｘへ延びる前後端部１７，１８と、縦軸Ｐに関して対称であって、互いに横方向Ｘにおいて対向する両側縁部１９，２０とを有する。両側縁部１９，２０は、着用者の大腿部に沿ってフィットするようにクロッチ域１３において凹曲状に形成されており、クロッチ域１３の、中央部１３Ｃの前ウエスト域１１側の部位が最も幅狭となっている。前ウエスト域１１の前側縁部１１ａ，１１ｂと後ウエスト域１２の後側縁部１２ａ，１２ｂとは、おむつ１０の前後方向において互いに対向する側縁部どうしが縦方向Ｙへ断続的に延びるサイドシーム部２２によって連結されることによって、ウエスト開口及び一対のレッグ開口２４が形成される。サイドシーム部２２では、熱又は超音波によるエンボス加工によって互いに重なり合うシートどうしが融着される。
【００１４】
シャーシ１４は、肌対向面に位置し、前後ウエスト域１１，１２及びクロッチ域１３を一連に画定する繊維不織布製のベースシート２５と、非肌対向面側に位置し、縦方向Ｙにおいて互いに離間対向する、繊維不織布製の前後ウエストシート２６，２７とを有する。
【００１５】
ベースシート２５は、互いに縦方向Ｙにおいて離間対向する第１及び第２端縁２５ａ，２５ｂと、横方向Ｘにおいて互いに離間対向する両側縁２５ｃ，２５ｄとを有する。両側縁２５ｃ，２５ｄは、前後ウエスト域１１，１２における直状部位と、クロッチ域１３において、縦軸Ｐに向かって後ウエスト域１２側から前ウエスト域１１側により深く凸曲する曲状部位から形成される。
【００１６】
前ウエストシート２６は、前ウエスト域１１とクロッチ域１３の一部とを形成する略台形状であって、横方向Ｘへ延びる中間内端縁２６ａ及び外端縁２６ｂと、縦方向Ｙへ延びる両外側縁２６ｃ，２６ｄと、両外側縁２６ｃ，２６ｄと中間内端縁２６ａとをむすぶ両側内端縁２６ｅ，２６ｆとから形成される。両側内端縁２６ｅ，２６ｆは、外側縁２６ｃ，２６ｄから横方向Ｘへ直状に延びる直状部位と、該直状部位から中間内端縁２６ａに延びる曲状部位とを有する。前ウエストシート２６は、両外側縁２６ｃ，２６ｄ間において横方向Ｘへ延びる矩形状の主体部２９と、主体部２９よりも幅狭であって、両側内端縁２６ｅ，２６ｆ間に位置する延出部３０とを有する。
【００１７】
前ウエストシート２６の主体部２９とベースシート２５との間には、両外側縁２６ｃ，２６ｄ間において横方向Ｘへ延びる複数条の第１ウエスト弾性体（ウエスト弾性体）３１が伸長された状態で収縮可能に固定される。主体部２９の最も縦方向Ｙの外側に位置する第１ウエスト弾性体３１から外端縁２６ｂの間には、折曲部３３が位置する。折曲部３３は、ベースシート２５の内面に吸液構造体１４が配置された状態で、ベースシート２５の第１端縁２５ａに沿って内側へ折り曲げられ、ベースシート２５及び吸液構造体１５の肌対向面に固定される。
【００１８】
後ウエストシート２７は、後ウエスト域１２とクロッチ域１３の一部とを形成する略台形状であって、横方向Ｘへ延びる中間内端縁２７ａ及び外端縁２７ｂと、外端縁２７ｂから縦方向Ｙへ延びる両外側縁２７ｃ，２７ｄと、両外側縁２７ｃ，２７ｄと内端縁２７ａとを曲状に結ぶ両側内端縁２７ｅ，２７ｆとから形成される。後ウエストシート２７は、両外側縁２７ｃ，２７ｄ間において横方向Ｘへ延びる矩形状の主体部３４と、主体部３４よりも幅狭であって、両側内端縁２７e，２７ｆ間に位置するほぼ台形状の延出部３５とを有する。
【００１９】
後ウエストシート２７の主体部３４とベースシート２５との間には、両外側縁２７ｃ，２７ｄ間において横方向Ｘへ延びる複数条の第２ウエスト弾性体（ウエスト弾性体）３２が伸長状態で収縮可能に固定される。主体部３４の最も縦方向Ｙの外側に位置する第２ウエスト弾性体３２から外端縁２７ｂの間には、折曲部３８が位置する。折曲部３８は、ベースシート２５の内面に吸液構造体１５が配置された状態で、ベースシート２５の第２端縁２５ｂに沿って内側へ折り曲げられ、ベースシート２５及び吸液構造体１５の肌対向面に固定される。
【００２０】
後ウエストシート２７の延出部３５とベースシート２５との間には、クロッチ域１３の後レッグ開口縁、すなわち、後ウエストシート２７の外側縁２７ｃ，２７ｄの下端側から両側内端縁２７e,２７ｆに沿って湾曲状に延び、クロッチ域１３を横断して中間内端縁２７aの下端まで延びる複数条のレッグ弾性体３７が伸長状態で収縮可能に固定される。
【００２１】
図３及び図４を参照すると、前述のように、ベースシート２５の前後所要域に前後ウエストシート２６，２７が積層固定された状態におけるシャーシ１４のクロッチ域１３には、前後ウエストシート２６，２７の中間内端縁２６ａ，２７ａが位置する。この位置における内端縁２６ａ，２７aは前後ウエストシート２６，２７とベースシート２５の前後ウエスト域の部分とが積層する両域と、該両域の間に位置するベースシート２５のみの域との間の第１及び第２境界４０，４１を画定する。したがって、シャーシ１４は、第１及び第２境界４０，４１間（クロッチ域１３の中央部１３Ｃ）に位置するベースシート２５のみから形成された単層域４３と、第１及び第２境界４０，４１よりも縦方向Ｙの外側に位置する、ベースシート２５と前後ウエストシート２６，２７とから構成された複層域４４とに区分される。単層域４３と複層域４４とは同一のベースシート２５を含み、複層域４４はおむつ１０全体に延びるベースシート２５に前後ウエストシート２６，２７を積層することによって形成されたものであるから、当然のことながら、複層域４４は単層域４３よりもシート強度が高く、例えば、シャーシ１４が縦方向Ｙへ比較的強く引っ張られたとき、第１及び第２境界４０，４１に引張応力が集中しておむつ１０が破断し易い。
【００２２】
このように、シャーシ１４のクロッチ域１３の中央部１３Ｃは、単層域４３であって、複層域４４に比して柔軟であり、おむつ１０の着用状態において着用者の大腿部間で変形しやすく、ごわついて着用感を阻害することはなく、クロッチ域１３全体に前後ウエストシート２６，２７を配置する場合に比して使用する資材を節減らすことになるので、製造コストを抑えることができる。また、前後ウエスト域１１，１２及びクロッチ域１３とがそれぞれ別体のシート部材から構成されている場合には、着用時におむつ１０全体が上下方向に引っ張られたとき等に、シート部材の接合部である前後ウエスト域とクロッチ域との境界近傍が破断したり分離したりするおそれがあるが、本願発明においては、シャーシ１４を形成するベースシート２５が前後ウエスト域１１，１２とクロッチ域１３とに一連に延びる形状を有しているので、かかる不利益を生じるおそれはない。
【００２３】
おむつ１０の各寸法（シャーシ１４の対応する寸法と同じ）について言えば、おむつ１０の縦方向Ｙにおける寸法Ｌ１は約６００〜１０００ｍｍ、横方向Ｘにおける寸法Ｗ１は約４００〜８００ｍｍ、前ウエスト域１１の両側縁部１１ａ，１１ｂの縦方向Ｙにおける寸法Ｌ２（後ウエスト域１２の両側縁部１２ａ，１１ｂの縦方向Ｙにおける寸法と同じ）は、約８０〜１５０ｍｍ、前ウエストシート２６の延出部３０の縦方向Ｙにおける寸法Ｌ３は約２０〜６０ｍｍ、後ウエストシート２７の延出部３５の縦方向Ｙにおける寸法Ｌ４は６０〜１００ｍｍ、第１及び第２境界４０，４１どうしの縦方向Ｙにおける離間寸法、すなわち、単層域４３の縦方向の寸法Ｌ５は、約４０〜２９０ｍｍ、好ましくは、約２２０〜２６０ｍｍである。延出部３０，３５の縦方向Ｙにおける寸法Ｌ３，Ｌ４は、本発明の後記の効果を奏するために、約３０ｍｍ以上の大きさであることが好ましい。
【００２４】
前記のとおり、本実施形態において、延出部３５は延出部３０よりも大きいが、その逆でもよく、さらには、互いに同一の大きさであってもよい。ただし、後記のとおり、高齢者等の着用者が座位した状態でおむつ１０を着用する場合には、引っ張り上げるときに、前ウエスト域１１側よりも後ウエスト域１２側のクロッチ域１３の一部が破断するおそれがあるので、延出部３５が延出部３０よりも大きく、クロッチ域１３の後ウエスト域１２側により広範囲に複層域４４が形成されることが好ましい。
【００２５】
ベースシート２５、前後ウエストシート２６，２７としては、質量が約１０〜４０ｇ／ｍ２であり、繊維密度が約０．０３〜０．１０ｇ／ｃｍ３である、例えば、スパンボンド繊維不織布、ＳＭＳ（スパンボンド・メルトブローン・スパンボンド）繊維不織布、エアスルー繊維不織布、プラスチックシート、またはそれらのラミネートシートなどを用いることができる。本実施形態においては、ベースシート２５として質量約１２〜１８ｇ／ｍ２、好ましくは質量約１５ｇ／ｍ２のＳＭＳ繊維不織布、前後ウエストシート２６，２７として質量約１４〜２０ｇ／ｍ２、好ましくは質量約１７ｇ／ｍ２のスパンボンド繊維不織布を用いることが好ましい。
【００２６】
ベースシート２５、前後ウエストシート２６，２７が繊維不織布で形成されているときには、ベースシート２５及び前ウエストシート２６の少なくとも一方、または、ベースシート２５及び後ウエストシート２７の少なくとも一方の構成繊維がおむつ１０の縦方向Ｙとほぼ一致する方向へ配向している、又は、一致する配向割合が一致しない配向割合よりも高いことが好ましい。このようにすることによって、おむつ１０を着用するときに、レッグ開口縁部の一部が横方向Ｘへ延びる第１及び第２境界４０，４１に沿って破断し難くすることができる。
【００２７】
本実施形態において、前後ウエストシート２６，２７の折曲部３３，３８は、主体部２９，３４と同一のシート材料から形成されているが、別体のシート材料から形成され、主体部２９，３４の肌対向面に固定してもよい。また、前後ウエストシート２６，２７が、おむつ１０のベース形態を形成するベースシート２５と同一の形状を有する１枚のシート材料から形成され、ベースシート２５が前後ウエストシート２６，２７と同一の形状を有する２つのシート材料から形成されていてもよい。かかる場合であっても、クロッチ域１３の中央部１３Ｃは単層域４３となり、本発明の後記の効果を奏することができる。
【００２８】
第１及び第２ウエスト弾性体３１，３２は、例えば、太さが約４７０〜１２４０ｄｔｅｘ，伸長倍率が約１．５〜３．５のストリング状又はストランド状の弾性材料を用いることができるところ、その太さや伸長倍率は適宜変更することができる。本実施形態においては、第１及び第２ウエスト弾性体３１，３２として、それぞれ、クロッチ域１３側から順に、太さが約６２０ｄｔｅｘの弾性材料が２本、太さが７８０ｄｔｅｘの弾性材料が９本、太さが約４７０ｄｔｅｘの弾性材料が４本ずつほぼ同じ離間寸法（ピッチ）で配設され、さらに、それらに比較してより小さいピッチで太さ約９４０ｄｔｅｘの弾性材料が１０本配設されている。
【００２９】
レッグ弾性体３７は、太さ約５００〜８００ｄｔｅｘ, 好ましくは、太さ約６２０ｄｔｅｘの複数の弾性糸が配設され、ベースシート２５と前後ウエストシート２６，２７の剛性にもよるが、それらシートが一般に当業界において使用されている繊維不織布の場合、吸液構造体１５と重なり、後ウエストシート２７の内端縁２７ａに沿って横方向Ｘに直状に延びる（直状部）における伸長倍率が約１．０〜２．０倍、好ましくは、約１．４倍、吸液構造体と重ならならず、後ウエストシート２７の両側内端縁２７ｅ，２７ｆに沿う部分(傾斜部)の伸長倍率が約２．０〜２．５倍、好ましくは、約２．３倍であることが好ましい。前者の伸長倍率が後者の伸長倍率よりも低いことによって、レッグ弾性体３７の収縮作用によって吸液構造体１５が変形し、その吸液性能が阻害されるのを抑制できる。
【００３０】
図４に示すとおり、前後ウエスト域１１，１２において、第１及び第２ウエスト弾性体３１，３２の隣り合う弾性体どうしの離間寸法（ピッチ）は、それぞれ、最内端に位置する弾性体３１ａから第１境界４０、弾性体３２ａから第２境界４１までの縦方向Ｙにおける寸法Ｌ６，Ｌ７よりも小さくなっている。具体的には、第１及び第２ウエスト弾性体３１，３２のピッチが約６．０〜１０．０ｍｍであるのに対し、寸法Ｌ６は約３０．０〜８０．０ｍｍ、寸法Ｌ７は約９０．０〜１５０．０ｍｍである。したがって、前後ウエスト域１１，１２において第１及び第２ウエスト弾性体３１，３２のピッチ間に位置する部位の剛性は、最内端に位置する弾性体３１ａ，３２ａから下方に延びる領域よりも高いことから、例えば、おむつ１０の着用時において、着用者が前屈みになって前ウエスト域１１が折り曲げられるときでも、弾性体３１ａから下方の領域が折曲されて比較的に大きな皺が生じ、第１ウエスト弾性体３１間に大きな皺が形成されることはなく、第１ウエスト弾性体３１による弾性域の伸長力が阻害されるおそれはない。
【００３１】
本実施形態のおむつ１０では、クロッチ域１３の前ウエスト域１１側において、ベースシート２５と前ウエストシート２６の延出部３０との間においてレッグ弾性体３７が配設されておらず、クロッチ域１３の後ウエスト域１２側にのみレッグ弾性体３７が配設されているので、クロッチ域１３の前ウエスト域１１側にはフリルが形成されない又は形成され難い。それにより、レッグ開口縁部全体にレッグ弾性体３７が配置される場合に比して、着用者の脚が引っ掛かり易いフリルの形成される割合が減少されるので、フリルに着用者の大腿部が接触することによってその肌が刺激されるのを抑えることができる。
【００３２】
図２及び図３を参照すると、吸液構造体１５は、前端部１５Ａと、後端部１５Ｂと、前後端部１５Ａ，１５Ｂ間に位置する中央部１５Ｃとを有する。吸液構造体１５は、肌対向面側に位置し、透液性を有する繊維不織布製の身体側ライナ５０と、曲状の両側縁５１ａを有する吸液性の吸収体５１と、一対のバリアシート５２と、防漏シート５３とを有する。吸収体５１は、質量約０〜５００ｇ／ｍ２のフラッフパルプと、吸収性ポリマー粒子等との混合物から形成された芯材５５ａと、芯材５５ａ全体を被包するティッシュペーパ等の液吸収拡散性のコアラップシート５５ｂとを有する。バリアシート５２の内面には細長帯状の不透液性の漏れ防止フィルム５６が配置される。
【００３３】
一対のバリアシート５２は、互いに横方向Ｘにおいて離間して配置されており、吸収体５１と防漏シート５３との間に固定される近位縁部５２ａと、防漏シート５３の横方向Ｘの外側において縦方向Ｙへ延びる遠位縁部５２ｂとを有する。遠位縁部５２ｂの内部には、弾性体５７が伸長状態で収縮可能に取り付けられる。弾性体５７が収縮することによって、遠位縁部５２ｂが身体側ライナ５０から着用者の身体側へ離間し、着用者の大腿部にフィットして排泄物の漏れを防止する。防漏シート５３は、不透液性の繊維不織布、不透液性で透湿性のプラスチックフィルム又はそれらのラミネートシートから形成されており、少なくとも吸収体５１の下面のほぼ全体を覆うように配置されており、吸液構造体１５の非肌対向面（底面）側から体液が漏れ出るのを防止する。
【００３４】
図３及び図５を参照すると、吸液構造体１５とシャーシ１４（ベースシート２５）とは、それらの対向面の少なくとも一方に塗布されたホットメルト接着剤等の公知の接合手段から形成された接合域６０を介して互いに接合される。接合域６０は、吸液構造体１５の前端部１５Ａをシャーシ１４の内面に固定するための前端接合域６１と、吸液構造体１５の後端部１５Ｂをシャーシ１４の内面に固定するための後端接合域６２と、第１及び後端接合域６１，６２間に位置し、吸液構造体１５の中央部１５Ｃをシャーシ１４の内面に固定するための中間接合域６３とを有する。
【００３５】
中間接合域６３は、前後端接合域６１，６２と縦方向Ｙにおいて所与寸法離間しており、クロッチ域１３の前ウエスト域１１側から後ウエスト域１２の下端まで延びる略矩形状の中央部７０と、クロッチ域１３の前ウエスト域１１側において中央部７０の横方向Ｘの外側に位置して縦方向Ｙへ延びる第１サイド接合部７１と、クロッチ域１３の後ウエスト域１２側において中央部７０の横方向Ｘの外側に位置して縦方向Ｙへ延びる第２サイド接合部７２とを有する。第１及び第２サイド接合部７１，７２は中央部７０と連続して横方向Ｘへ延びるものであって、
第１サイド接合部７１を第１境界４０が横断し、第２サイド接合部７２を境界４１が横断している。また、第１境界４０は、接合域６０及び中間接合域６１を横断しているといえる。本明細書において、「第１境界４０が第１サイド接合部（接合域６０）を横断する」とは、第１サイド接合部７１（接合域６０）の域内でこれと境界４０とが互いにおむつ１０の厚さ方向において直接的又は間接的に重なり合うことを意味する。同様に、「第２境界４１が第２サイド接合部７２を横断する」とは、第２サイド接合部７２の域内でこれと境界４１とが互いにおむつ１０の厚さ方向において直接的又は間接的に重なり合うことを意味する。
【００３６】
前後端接合域６１，６２は、シャーシ１４の複層域４４に吸液構造体１５を安定的に固定するためのものであり、そのための縦方向Ｙにおける所要の寸法を有することが好ましく、具体的には、前後端接合域６１，６２の縦方向Ｙにおける寸法Ｌ８，Ｌ９は約１０〜１００ｍｍ、好ましくは、約３０〜８０ｍｍである。本実施形態においては、前端接合域６１の縦方向Ｙにおける寸法Ｌ８が約６０ｍ、後端接合域６２の縦方向Ｙにおける寸法Ｌ９が約４０ｍｍであって、寸法Ｌ８が寸法Ｌ９よりも大きくなっている。本実施形態と異なり、吸液構造体１５が安定的に固定される限りにおいて、寸法Ｌ９が寸法Ｌ８よりも大きくてもよいし、寸法Ｌ８，Ｌ９がほぼ同じ大きさであってもよい。
【００３７】
レッグ開口縁部の一部、すなわち、クロッチ域１３の前ウエスト域１１側において、第１サイド接合部７１とクロッチ域１３の凹曲状の側縁との間には、複層域４４からなる隅部（フラップ部）７３が位置する。隅部７３の縦方向Ｙの寸法は、前ウエストシート２６の延出部３０の縦方向Ｙの寸法Ｌ３と同じであって、少なくとも約３０ｍｍ以上であることが好ましい。
【００３８】
図７を参照すると、例えば、片足で体を支えることが困難である高齢者等がおむつ１０を着用するときには、着用者又は着用補助者が、椅子に座った状態で着用者の左右の脚部７４Ｌ，７４Ｒをレッグ開口２４に差し入れ、次に、おむつ１０を所定の位置に配置するために、一方の脚部側の臀部が床面や椅子の座面に当接した状態で反対側の臀部が浮き上がらせながら、おむつ１０を片側ずつ引き上げることが必要になる。このとき、高齢者は背中が丸く背中側に左手７６Ｌが廻し難いことから、前ウエスト域１１又はシーム部２２の位置する側部近傍を掴んでおむつ１０を引っ張り上げることが多い。
【００３９】
おむつ１０の脚部７４Ｌ側を引き上げた後に、脚部７４Ｌ側の臀部を椅子の座面に当接させて脚部７４Ｒ側の臀部を浮き上がらせたまま引っ張り上げるとき、おむつ１０の脚部７４Ｌ側の後ウエスト域１２が着用者の自重で座面に抑え付けられる。また、このように、着用者が右手７６Ｒで前ウエスト域１１又は側部を掴んで引っ張り上げるとき、脚部７４Ｒ側の吸液構造体１５のレッグ開口２４と交差する部位７５が着用者の大腿部の内側に引っ掛かるように当接するので、レッグ開口縁部が該部位７５と右手７６Ｒとの間で上下に引っ張られるような状態となる。前ウエスト域１１全体及びレッグ開口縁部に対してそれを上下に引っ張ろうとする引張応力が作用したときに、前ウエスト域１１の内端縁とクロッチ域１３の両側縁とが直交する場合には、形状の大きく変化する変化点である該部位７７に引張応力が集中してレッグ開口縁部の一部が破断するおそれがある。
【００４０】
また、片足で体を支えることが可能な高齢者や乳幼児が直立した状態でおむつ１０を着用するときであっても、入浴後等であって身体が僅かに濡れているような場合には、おむつ１０を引き上げるときに前後ウエスト域１１，１２が身体に張り付いて摩擦熱が上がり、スムーズに引き上げることができなくなる。かかる場合においても、前ウエスト域１１を掴んで強引に引っ張り上げようとすると、レッグ開口縁部の一部が破断するおそれがある。
【００４１】
本発明のおむつ１０においては、クロッチ域１３の前ウエスト域１１側において、前ウエスト域１１の内端縁１１ｄと、クロッチ域１３の両側縁１９ｃと、第１サイド接合部７１（接合域６０）と第１境界４０との間に複層域４４から形成された隅部７３が位置し、前ウエスト域１１の内端縁１１ｄとクロッチ域１３の両側縁１９ｃとが直交せず、前ウエスト域１１の内端縁１１ｄからクロッチ域１３の両側縁１９ｃが緩やかに湾曲しているので、大きな形状の変化によって引張応力が局所的に集中することはなく、隅部７３において引張応力が分散される。また、第１境界４０は、前ウエスト域１１の内端縁１１ｄとクロッチ域１３の曲状の両側縁１９ｃとが交差する部位７７よりも内方に位置しており、交差部位７７近傍はベースシート２５と前ウエストシート２６とから形成された複層域４４であることから、比較的にシート強度が高く破れ難く、左手７６Ｌで前ウエスト域１１を引っ張り上げたり、当接部位７５において吸液構造体１５の一部が脚部７４Ｒの内側に引っ掛かった状態のまま右手７６Ｒでレッグ開口縁部を引っ張り上げても、吸液構造体１５の両側縁の外側に位置する隅部７３の一部が破断するおそれはない。
【００４２】
さらに、横方向Ｘへ延びる境界４０が接合域６０を横断するので、吸液構造体１５が第１境界４０近傍に固定され、レッグ開口縁部におけるシート部材の枚数の差によって生じる伸度や変形度合いの相違（シート引張強度の変化量）を抑えて境界４０から破断が生じるのを防ぐことができる。また、単層域４３にのみ接合域６０が位置する場合には、着用中に吸液構造体１５の内面に排泄物が排泄されたとき、吸液構造体１５の自重によって単層域４３が下方に引っ張られてシート強度の比較的に低い単層域４３の一部が破断するおそれがあるところ、第１及び第２境界４０，４１が接合域６０を横断することによって複層域４４にもかかる力が負荷されるので、単層域４３の破断を防止することができる。
【００４３】
本実施形態の場合には、第１サイド接合部７１が縦方向Ｙにおいて所与寸法離間しているので、前後ウエスト域１１，１２が引き上げられたときに、レッグ弾性体３７に連動して吸液構造体１５全体が後ウエスト域１２側に引っ張られることはなく、吸収体５１が縮んだり、位置ずれを生じたりするおそれはない。また、クロッチ域１３の中央部１３Ｃは単層域４３であって比較的に柔軟であるところ、吸液構造体１５の固定される領域を必要限度に抑えることによって、所要の柔軟性を維持することができる。
【００４４】
また、前後端接合域６１，６２と中間接合域６３とが離間していることによって、それらが連続している場合に比して、吸液構造体１５は着用者の身体に対する追従性に優れる。また、特に、前ウエスト域１１においては、吸収体５１の前端部が中間接合域６３よりも縦方向Ｙの外側に位置しているところ、中間接合域６３と前端接合域６１との間において吸液構造体１５はシャーシ１４に固定されていないので、第１ウエスト弾性体３１の収縮力が吸収体５１の前端部に直接作用して、その収液性能を阻害する原因となるような皺を生じさせるおそれはない。
【００４５】
さらに、着用者の正面又は背面に位置するクロッチ域１３の前後ウエスト域１１，１２側は複層域４４であるので、該部位が単層域４３から構成されている場合に比して透過性が低く、着用者の肌が透けて外部から視認されるのを防止することができる。
【００４６】
＜引張強度試験＞
各実施例及び比較例のおむつ１０について、おむつ１０を縦方向Ｙに引っ張ったときのクロッチ域１３の破れ難さ（引張強度）を比較するために、以下の試験を行った。
【００４７】
＜実施例＞
本試験に使用した本発明に係るおむつ１０は、ベースシート２５として質量約１５．０ｇ／ｍ２のＳＭＳ不織布、前ウエストシートとして質量約１７．０ｇ／ｍ２のスパンボンド不織布、接合域６０を形成する接合手段としてホットメルト接着剤を使用した。
【００４８】
＜比較例＞
比較例として使用したおむつは、前ウエストシート２６の形状以外を除き、実施例のおむつと基本的構成態様において同一のものであって、前ウエストシート２６が延出部３０を有さず、前ウエストシート２６の内端縁２６ａ、すなわち、第１境界４０が前ウエスト域１１の内端縁と一連に横方向Ｘに直状に延びており、クロッチ域１３全体がベースシート２５のみから形成される。ベースシート２５として質量約１５．０ｇ／ｍ２のＳＭＳ不織布、前ウエストシートとして質量約１７．０ｇ／ｍ２のスパンボンド不織布、接合域６０を形成する接合手段としてホットメルト接着剤を使用した。
【００４９】
＜試験方法＞
本試験には、株式会社島津製作所製、ＡＵＴＯＧＲＡＰＨ（型式ＡＧ−１ｋＮＩ）を使用した。図８及び９を参照して本試験方法について説明すると、まず、シーム部２２において前後ウエスト域１１，１２の連結を解除するとともに、仮想横中心線Ｑ−Ｑに沿っておむつ１０を切断し、前ウエスト域１１が含まれる側の部分を試料として使用し、一対のチャック９０，９１で挟持した。具体的には、一方のチャック９０で前ウエスト域１１の前端縁１７と側縁１１ａとが交差する角部を挟持し、他方のチャック９１でクロッチ域１３の吸収体５１の横方向Ｘの外側に位置する吸液構造体１５とシャーシ１４とが重なる領域を挟持した。初期設定における両チャック９０，９１間の離間寸法は約１５０ｍｍであって、一対のチャック９０，９１が互いに徐々に離間するように、一方のチャック９０を移動速度約５００ｍｍ／ｍｉｎでチャック９１から離間する方向へ移動させて、おむつ１０の一部が破断した始めたときの引張応力の値（Ｎ）を試験した。試験は、各おむつについて１０回行い、試験された値の平均値、最小値、最高値をそれぞれ表１に示した。
【００５０】
【表１】
2014050413.tif 000003
【００５１】
＜試験結果＞
表１に示すとおり、実施例のおむつ１０は、比較例のおむつに比べて平均値、最高値、最小値の値が全て大きく、比較例のおむつよりも引張強度に優れ、破れ難いものであることが分かった。
【００５２】
本発明の使い捨ておむつ１０を構成する各構成部材には、明細書に記載されている材料のほかに、この種の物品において通常用いられている各種公知の材料を制限なく用いることができる。また、明細書及び特許請求の範囲において、「第１」及び「第２」の用語は、同様の要素、位置等を単に区別するために用いられる。
【００５３】
以上に記載した本発明に関する開示は、少なくとも下記の事項に要約することができる。
【００５４】
縦方向及びそれに直交する横方向を有し、肌対向面及び非肌対向面と、前ウエスト域と、後ウエスト域と、前記前後ウエスト域間に位置する、凹曲状の両側縁を有するクロッチ域と、前記前後ウエスト域と前記クロッチ域とを画定するシャーシと、前記シャーシの肌対向面に固定され、少なくとも前記クロッチ域において前記縦方向へ延びる吸液構造体とを含むパンツ型の着用物品において、前記シャーシは、前記前後ウエスト域と前記クロッチ域とを画定するベースシートと、前記ベースシートとともに、前記前後ウエスト域を形成する、互いに前記縦方向において離間する前後ウエストシートとを含み、前記前後ウエスト域と、前記クロッチ域のうちの少なくとも前記前ウエスト域側の部分とが前記ベースシートと前記前ウエストシートとを積層してなる複層域、前記クロッチ域の中央部が前記ベースシートのみからなる単層域であって、前記複層域と前記単層域との境界が前記横方向に延びており、前記複層域は、前記境界と、前記前ウエスト域の内端縁と、前記吸液構造体と前記シャーシとを接合する接合域と、前記クロッチ域の凹曲状の前記側縁とによって囲まれた隅部を有し、前記境界が前記接合域を横断することを特徴とする前記着用物品。
【００５５】
上記段落００５４に開示した本発明は、少なくとも下記の実施の態様を含むことができる。
（１）前記接合域は、少なくとも前記クロッチ域において前記縦方向に延びる中央接合部と、前記クロッチ域の前記前ウエスト域側において前記中央接合部の前記横方向の外側に位置し、前記縦方向に延びる一対の第１サイド接合部とを有する。
（２）前記接合域は、少なくとも前記クロッチ域において縦方向に延びる中央接合部と、前記クロッチ域の前記後ウエスト域側において前記中央接合部の前記横方向の外側に位置し、前記縦方向に延びる一対の第２サイド接合部とを有し、前記クロッチ域の前記後ウエスト域側の部分が前記複層域であって、前記横方向に延びる、前記複層域と前記単層域との境界が前記接合域を横断する。
（３）前記隅部の前記縦方向における寸法は、約３０ｍｍ以上である。
（４）前記接合域は、前記中央接合部と前記第１及び第２サイド接合部とを有する中間接合域と、前記中間接合域と前記縦方向において離間し、前記前後ウエスト域のそれぞれに位置する前後端接合域とを有する。
（５）前記クロッチ域の前記後ウエスト域側に位置する複層域には、複数条のレッグ弾性体が配設されており、前記レッグ弾性体は、前記横方向に延び、前記吸液構造体と交差する直状部と、前記直状部の前記横方向の両側に位置して前記クロッチ域の両側縁に沿って湾曲状に延びる曲状部とを有し、前記直状部の伸長倍率が前記曲状部のそれよりも低くなっている。
（６）前記前後ウエスト域のうちの少なくとも前記前ウエスト域には、前記横方向に延び、かつ、前記縦方向において互いに所与寸法離間する複数条のウエスト弾性体が配設されており、前記ウエスト弾性体のうちの最内端に位置する弾性体から前記境界までの前記縦方向における離間寸法が前記ウエスト弾性体どうしの離間寸法よりも大きい。
（７）前記ベースシート及び前後ウエストシートのうちの少なくとも一方が、繊維不織布から形成されており、前記繊維不織布の構成繊維が前記縦方向に配向する。
【符号の説明】
【００５６】
１０    使い捨てのパンツ型おむつ（パンツ型の着用物品）
１１    前ウエスト域
１２    後ウエスト域
１３    クロッチ域
１４    シャーシ
１５    吸液構造体
２５    ベースシート
２６    前ウエストシート
２７    後ウエストシート
３１    第１ウエスト弾性体（ウエスト弾性体）
３２    第２ウエスト弾性体（ウエスト弾性体）
３７    レッグ弾性体
４０    第１境界（境界）
４１    第２境界（境界）
６０    接合域
６１    前端接合域
６２    後端接合域
６３    中間接合域
７０    中央接合部
７１    第１サイド接合部
７２    第２サイド接合部
７３    隅部
Ｌ３    前ウエストシートの延出部の縦方向における寸法
Ｘ      横方向
Ｙ      縦方向
【図１】
2014050413.tif 000004
【図２】
2014050413.tif 000005
【図３】
2014050413.tif 000006
【図４】
2014050413.tif 000007
【図５】
2014050413.tif 000008
【図６】
2014050413.tif 000009
【図７】
2014050413.tif 000010
【図８】
2014050413.tif 000011
【図９】
2014050413.tif 000012
【手続補正書】
【提出日】平成24年10月11日(2012.10.11)
【手続補正１】
【補正対象書類名】明細書
【補正対象項目名】００１７
【補正方法】変更
【補正の内容】
【００１７】
前ウエストシート２６の主体部２９とベースシート２５との間には、両外側縁２６ｃ，２６ｄ間において横方向Ｘへ延びる複数条の第１ウエスト弾性体（ウエスト弾性体）３１が伸長された状態で収縮可能に固定される。主体部２９の最も縦方向Ｙの外側に位置する第１ウエスト弾性体３１から外端縁２６ｂの間には、折曲部３３が位置する。折曲部３３は、ベースシート２５の内面に吸液構造体１５が配置された状態で、ベースシート２５の第１端縁２５ａに沿って内側へ折り曲げられ、ベースシート２５及び吸液構造体１５の肌対向面に固定される。
【手続補正２】
【補正対象書類名】明細書
【補正対象項目名】００２９
【補正方法】変更
【補正の内容】
【００２９】
レッグ弾性体３７は、太さ約５００〜８００ｄｔｅｘ, 好ましくは、太さ約６２０ｄｔｅｘの複数の弾性糸が配設され、ベースシート２５と前後ウエストシート２６，２７の剛性にもよるが、それらシートが一般に当業界において使用されている繊維不織布の場合、吸液構造体１５と重なり、後ウエストシート２７の内端縁２７ａに沿って横方向Ｘに直状に延びる（直状部）における伸長倍率が約１．０〜２．０倍、好ましくは、約１．４倍、吸液構造体と重ならず、後ウエストシート２７の両側内端縁２７ｅ，２７ｆに沿う部分(傾斜部)の伸長倍率が約２．０〜２．５倍、好ましくは、約２．３倍であることが好ましい。前者の伸長倍率が後者の伸長倍率よりも低いことによって、レッグ弾性体３７の収縮作用によって吸液構造体１５が変形し、その吸液性能が阻害されるのを抑制できる。
【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
縦方向及びそれに直交する横方向を有し、肌対向面及び非肌対向面と、前ウエスト域と、後ウエスト域と、前記前後ウエスト域間に位置していて、凹曲状の両側縁を有するクロッチ域と、前記前後ウエスト域と前記クロッチ域とを画定するシャーシと、前記シャーシの前記肌対向面に固定され、少なくとも前記クロッチ域において前記縦方向へ延びる吸液構造体とを含むパンツ型の着用物品において、
前記シャーシは、前記前後ウエスト域と前記クロッチ域とに一連に広がるベースシートと、前記前ウエスト域において前記ベースシートに重なっていて前記ベースシートとともに、前記前ウエスト域と前記クロッチ域の一部とを形成する前ウエストシートと、前記後ウエスト域において前記ベースシートに重なっていて前記ベースシートとともに前記後ウエスト域と前記クロッチ域の一部とを形成する後ウエストシートとを含み、前記前ウエストシートと前記後ウエストシートとは前記クロッチ域において前記縦方向に互いに離間しており、
前記シャーシは、前記クロッチ域において、前記前後ウエストシートと前記ベースシートとによって形成された複層域と、前記前ウエストシートの中間内端縁により画定される第１境界と前記後ウエストシートの中間内端縁により画定される第２境界との間に位置する前記ベースシートのみから形成された単層域とを有し、前記第１及び第２境界が前記横方向へ延びており、
前記クロッチ域の前記前ウエスト域側に位置する複層域が、前記第１境界と、前記前ウエスト域の前記縦方向における内端縁と、前記吸液構造体と前記シャーシとを接合して前記縦方向へ延びる接合域と、前記クロッチ域の凹曲状の前記側縁とによって囲まれた隅部とを有し、
前記第１境界が前記接合域を横断することを特徴とする前記着用物品。
【請求項２】
前記接合域は、少なくとも前記クロッチ域において前記縦方向に延びる中央接合部と、前記クロッチ域の前記前ウエスト域側において前記中央接合部の前記横方向の外側に位置し、前記縦方向に延びる一対の第１サイド接合部とを有する請求項１に記載の着用物品。
【請求項３】
前記接合域は、少なくとも前記クロッチ域において前記縦方向に延びる中央接合部と、前記クロッチ域の前記後ウエスト域側において前記中央接合部の前記横方向の外側に位置し、前記縦方向に延びる一対の第２サイド接合部とを有し、前記第２境界が前記接合域を横断する請求項１又は２に記載の着用物品。
【請求項４】
前記隅部の前記縦方向における寸法は、約３０ｍｍ以上である請求項１〜３のいずれかに記載の着用物品。
【請求項５】
前記接合域は、前記中央接合部と前記第１及び第２サイド接合部とを有する中間接合域と、前記中間接合域と前記縦方向において離間し、前記前後ウエスト域のそれぞれに位置する前後端接合域とを有する請求項３又は４に記載の着用物品。
【請求項６】
前記クロッチ域の前記後ウエスト域側に位置する複層域には、複数条のレッグ弾性体が配設されており、前記レッグ弾性体は、前記横方向に延び、前記吸液構造体と交差する直状部と、前記直状部の前記横方向の両側に位置して前記クロッチ域の両側縁に沿って湾曲状に延びる曲状部とを有し、前記直状部の伸長倍率が前記曲状部のそれよりも低くなっている請求項３〜５のいずれかに記載の着用物品。
【請求項７】
前記前後ウエスト域のうちの少なくとも前記前ウエスト域には、前記横方向に延び、かつ、前記縦方向において互いに所与寸法離間する複数条のウエスト弾性体が配設されており、前記ウエスト弾性体のうちの最内端に位置する弾性体から前記境界までの前記縦方向における離間寸法が前記ウエスト弾性体どうしの離間寸法よりも大きい請求項１〜６のいずれかに記載の着用物品。
【請求項８】
前記ベースシート及び前後ウエストシートのうちの少なくとも一方が、繊維不織布から形成されており、前記繊維不織布の構成繊維が前記縦方向に配向する請求項１〜７のいずれかに記載の着用物品。
【手続補正２】
【補正対象書類名】明細書
【補正対象項目名】０００８
【補正方法】変更
【補正の内容】
【０００８】
本発明は、縦方向及びそれに直交する横方向を有し、肌対向面及び非肌対向面と、前ウエスト域と、後ウエスト域と、前記前後ウエスト域間に位置していて、凹曲状の両側縁を有するクロッチ域と、前記前後ウエスト域と前記クロッチ域とを画定するシャーシと、前記シャーシの前記肌対向面に固定され、少なくとも前記クロッチ域において前記縦方向へ延びる吸液構造体とを含むパンツ型の着用物品に関する。
【手続補正３】
【補正対象書類名】明細書
【補正対象項目名】０００９
【補正方法】変更
【補正の内容】
【０００９】
本発明に係る着用物品は、前記シャーシは、前記前後ウエスト域と前記クロッチ域とに一連に広がるベースシートと、前記前ウエスト域において前記ベースシートに重なっていて前記ベースシートとともに、前記前ウエスト域と前記クロッチ域の一部とを形成する前ウエストシートと、前記後ウエスト域において前記ベースシートに重なっていて前記ベースシートとともに前記後ウエスト域と前記クロッチ域の一部とを形成する後ウエストシートとを含み、前記前ウエストシートと前記後ウエストシートとは前記クロッチ域において前記縦方向に互いに離間しており、
前記シャーシは、前記クロッチ域において、前記前後ウエストシートと前記ベースシートとによって形成された複層域と、前記前ウエストシートの中間内端縁により画定される第１境界と前記後ウエストシートの中間内端縁により画定される第２境界との間に位置する前記ベースシートのみから形成された単層域とを有し、前記第１及び第２境界が前記横方向へ延びており、
前記クロッチ域の前記前ウエスト域側に位置する複層域が、前記第１境界と、前記前ウエスト域の前記縦方向における内端縁と、前記吸液構造体と前記シャーシとを接合して前記縦方向へ延びる接合域と、前記クロッチ域の凹曲状の前記側縁とによって囲まれた隅部とを有し、前記第１境界が前記接合域を横断することを特徴とする。
【手続補正４】
【補正対象書類名】明細書
【補正対象項目名】００５５
【補正方法】変更
【補正の内容】
【００５５】
上記段落００５４に開示した本発明は、少なくとも下記の実施の態様を含むことができる。
（１）前記接合域は、少なくとも前記クロッチ域において前記縦方向に延びる中央接合部と、前記クロッチ域の前記前ウエスト域側において前記中央接合部の前記横方向の外側に位置し、前記縦方向に延びる一対の第１サイド接合部とを有する。
（２）前記接合域は、少なくとも前記クロッチ域において前記縦方向に延びる中央接合部と、前記クロッチ域の前記後ウエスト域側において前記中央接合部の前記横方向の外側に位置し、前記縦方向に延びる一対の第２サイド接合部とを有し、前記第２境界が前記接合域を横断する。
（３）前記隅部の前記縦方向における寸法は、約３０ｍｍ以上である。
（４）前記接合域は、前記中央接合部と前記第１及び第２サイド接合部とを有する中間接合域と、前記中間接合域と前記縦方向において離間し、前記前後ウエスト域のそれぞれに位置する前後端接合域とを有する。
（５）前記クロッチ域の前記後ウエスト域側に位置する複層域には、複数条のレッグ弾性体が配設されており、前記レッグ弾性体は、前記横方向に延び、前記吸液構造体と交差する直状部と、前記直状部の前記横方向の両側に位置して前記クロッチ域の両側縁に沿って湾曲状に延びる曲状部とを有し、前記直状部の伸長倍率が前記曲状部のそれよりも低くなっている。
（６）前記前後ウエスト域のうちの少なくとも前記前ウエスト域には、前記横方向に延び、かつ、前記縦方向において互いに所与寸法離間する複数条のウエスト弾性体が配設されており、前記ウエスト弾性体のうちの最内端に位置する弾性体から前記境界までの前記縦方向における離間寸法が前記ウエスト弾性体どうしの離間寸法よりも大きい。
（７）前記ベースシート及び前後ウエストシートのうちの少なくとも一方が、繊維不織布から形成されており、前記繊維不織布の構成繊維が前記縦方向に配向する。